(57)【要約】      （修正有）【課題】合計９枚のカードを使った１組の絵合わせカードパズルを使って、２つの正解図があるように考案された、絵合わせカードパズルを提供する。【解決手段】同じ大きさで第１〜第９からなる合計９枚の正方形カード１組とし、前記正方形カードにおける４辺（Ａ、Ｂ、Ｃ、Ｄ）に、４種類の絵図柄を各々切断線で上下に２分割した８種類の絵（ア１、ア２、イ１、イ２、ウ１、ウ２、エ１、エ２）を、正方形カードの内、２枚を同じ割り当て条件で表示し、１組の絵合わせカードパズルを使って、２つの正解図ができるようにしたことを特徴とする。【選択図】図４
0003187137.tif 000002
【実用新案登録請求の範囲】
【請求項１】
同じ大きさで第１〜第９からなる合計９枚の正方形カード（１〜９）を１組とし、前記正方形カード（１〜９）における４辺（Ａ、Ｂ、Ｃ，Ｄ）に、４種類の絵図柄（ア、イ、ウ、エ）を各々切断線（キ）で上下に２分割した８種類の絵（ア１、ア２、イ１、イ２、ウ１、ウ２、エ１、エ２）を、前記正方形カード（１〜９）の内、２枚を同じ割り当て条件で表示し、１組の絵合わせカードパズルを使って、２つの正解図ができるようにしたことを特徴とする絵合わせカードパズル。
【請求項２】
前記正方形カード（１〜９）の内、２枚（６、８）を同じ割り当て条件で表示し、残り７枚（１、２、３、４、５、７、９）を異なった割り当て条件で表示している、１組の絵合わせカードパズルを使って、２つの正解図ができるようにしたことを特徴とする、請求項１記載の絵合わせカードパズル。
【請求項３】
カードＪには、下辺Ａに絵ア１、左辺Ｂに絵イ１、上辺Ｃに絵エ２、右辺Ｄに絵ウ２、をそれぞれ表示し、カードＬには、下辺Ａに絵エ１、左辺Ｂに絵ウ１、上辺Ｃに絵イ２、右辺Ｄに絵ア２、をそれぞれ表示し、カードＭには、下辺Ａに絵イ１、左辺Ｂに絵ア１、上辺Ｃに絵エ２、右辺Ｄ絵ウ２、をそれぞれ表示し、カードＰには、下辺Ａに絵イ１、左辺Ｂに絵エ１、上辺Ｃ絵ア２、右辺Ｄに絵ウ２、をそれぞれ表示し、カードＱには、下辺Ａに絵イ１、左辺Ｂに絵ウ１、上辺Ｃに絵エ２、右辺Ｄに絵ア２、をそれぞれ表示し、カードＲには、下辺Ａに絵エ１、左辺Ｂに絵ア１、上辺Ｃ絵イ２、右辺Ｄに絵ウ２、をそれぞれ表示し、カードＴには、下辺Ａに絵ウ１、左辺Ｂに絵エ１、上辺Ｃに絵イ２、右辺Ｄに絵ア２、をそれぞれ表示し、カードＵには、下辺Ａに絵エ１、左辺Ｂに絵ア１、上辺Ｃに絵イ２、右辺Ｄに絵ウ２、をそれぞれ表示し、カードＶには、下辺Ａに絵ア１、左辺Ｂに絵ウ１、上辺Ｃに絵エ２、右辺Ｄに絵イ２、をそれぞれ表示している、合計９枚のカードを使った１組の絵合わせカードパズルを使って、２つの正解図ができるようにしたことを特徴とする請求項１又は請求項２のいずれかに記載の絵合わせカードパズル。
【考案の詳細な説明】
【技術分野】
【０００１】
本考案は、正方形の４辺それぞれに表示された絵を持つ、合計９枚のカードを使って、縦３列と横３列の正方形状に配置して、それぞれの絵を合わせる絵合わせカードパズルに関するものである。
【背景技術】
【０００２】
ヨーロッパでは昔から親しまれているポプラーな絵合わせカードパズルであり、日本でも広く普及している。また、より難しくするために形を変えたものもある。
【先行技術文献】
【特許文献】
【０００３】
【特許文献１】特開２０００−７０５４４号公報（段落０００９〜００１１、図２、図４）
【特許文献２】特開２００９−１１４６７号公報（段落０００５〜０００６、図１、図３）
【考案の概要】
【考案が解決しようとする課題】
【０００４】
しかしながら、正方形の４辺それぞれに表示された絵を持つ、合計９枚のカードを使った従来の絵合わせカードパズルは、正解図が１つしかなく、比較的簡単に正解図が見つけられて、一度完成すると面白味が薄れてしまう問題点がある。
【０００５】
本考案は、このような従来の問題点を解決しようとするもので、合計９枚のカードを使った１組の絵合わせカードパズルを使って、２つの正解図があるように考案された、絵合わせカードパズルを提供することを目的とするものである。
【課題を解決するための手段】
【０００６】
本考案は、同じ大きさで第１〜第９からなる合計９枚の正方形カード（１〜９）を１組とし、前記正方形カード（１〜９）における４辺（Ａ、Ｂ、Ｃ，Ｄ）に、４種類の絵図柄（ア、イ、ウ、エ）を各々切断線（キ）で上下に２分割した８種類の絵（ア１、ア２、イ１、イ２、ウ１、ウ２、エ１、エ２）を、前記正方形カード（１〜９）の内、２枚を同じ割り当て条件で表示し、１組の絵合わせカードパズルを使って、２つの正解図ができるようにしたことを特徴とする絵合わせカードパズルである。
【０００７】
また、前記正方形カード（１〜９）の内、２枚（６、８）を同じ割り当て条件で表示し、残り７枚（１、２、３、４、５、７、９）を異なった割り当て条件で表示している、１組の絵合わせカードパズルを使って、２つの正解図ができるようにしたことを特徴とする、絵合わせカードパズルである。
【０００８】
また、カードＪには、下辺Ａに絵ア１、左辺Ｂに絵イ１、上辺Ｃに絵エ２、右辺Ｄに絵ウ２、をそれぞれ表示し、カードＬには、下辺Ａに絵エ１、左辺Ｂに絵ウ１、上辺Ｃに絵イ２、右辺Ｄに絵ア２、をそれぞれ表示し、カードＭには、下辺Ａに絵イ１、左辺Ｂに絵ア１、上辺Ｃに絵エ２、右辺Ｄ絵ウ２、をそれぞれ表示し、カードＰには、下辺Ａに絵イ１、左辺Ｂに絵エ１、上辺Ｃ絵ア２、右辺Ｄに絵ウ２、をそれぞれ表示し、カードＱには、下辺Ａに絵イ１、左辺Ｂに絵ウ１、上辺Ｃに絵エ２、右辺Ｄに絵ア２、をそれぞれ表示し、カードＲには、下辺Ａに絵エ１、左辺Ｂに絵ア１、上辺Ｃ絵イ２、右辺Ｄに絵ウ２、をそれぞれ表示し、カードＴには、下辺Ａに絵ウ１、左辺Ｂに絵エ１、上辺Ｃに絵イ２、右辺Ｄに絵ア２、をそれぞれ表示し、カードＵには、下辺Ａに絵エ１、左辺Ｂに絵ア１、上辺Ｃに絵イ２、右辺Ｄに絵ウ２、をそれぞれ表示し、カードＶには、下辺Ａに絵ア１、左辺Ｂに絵ウ１、上辺Ｃに絵エ２、右辺Ｄに絵イ２、をそれぞれ表示している、合計９枚のカードを使った１組の絵合わせカードパズルを使って、２つの正解図ができるようにしたことを特徴とする絵合わせカードパズルである。
【考案の効果】
【０００９】
本考案の絵合わせカードパズルは、合計９枚のカードを使った１組の絵合わせカードパズルを使って、２つの正解図ができるように考案されたものであるため、第１の正解図ができても、第２の正解図を目指して、面白味が尽きることなく続けて遊ぶことができるという利点がある。
【図面の簡単な説明】
【００１０】
【図１】図１は数字で表示した９枚１組の絵合わせカードパズルである。
【図２】図２は４種類の絵図柄と８種類の絵である。
【図３】図３は第１の正解図の各カードを英文字で表示したものである。
【図４】図４は第１の正解図の各カードの絵の割り当て図である。
【図５】図５は第１の正解図である。
【図６】図６は第２の正解図の各カードを英文字で表示したものである。
【図７】図７は第２の正解図の各カードの絵の割り当て図である。
【図８】図８は第２の正解図である。
【考案を実施するための形態】
【００１１】
本考案の絵合わせカードパズルは、同じ大きさで第１〜第９からなる合計９枚の正方形カード（１〜９）を１組とし、前記正方形カード（１〜９）における４辺（Ａ、Ｂ、Ｃ、Ｄ）に、４種類の絵図柄（ア、イ、ウ、エ）を各々切断線（キ）で上下に２分割した８種類の絵（ア１、ア２、イ１、イ２、ウ１、ウ２、エ１、エ２）を、前記正方形カード（１〜９）の内、２枚を同じ割り当て条件で表示し、１組の絵合わせカードパズルを使って、２つの正解図ができるようにしたものである。
【００１２】
図５は、本考案の絵合わせカードパズルの実施例であって、図１に示すように、同じ大きさで第１〜第９からなる合計９枚の正方形カード（１〜９）を１組とし、各カードを縦３列と横３列の正方形状に並べて配置して、横列上段に左側から、１、２、３のカードを配置して、横列中段に左側からの、４、５、６のカードを配置して、横列下段に左側から、７、８、９のカードが配置してある。
【００１３】
また、縦３列には、縦列左側に上段から１、４、７のカードを配置して、縦列中央に上段から２、５、８のカードを配置して、縦列右側に上段から３、６、９のカードが配置してある。
【００１４】
また、正方形カード（１〜９）にはそれぞれに、下辺Ａ、左辺Ｂ、上辺Ｃ、右辺Ｄの4辺がある。
【００１５】
図２は、４種類の絵図柄（ア、イ、ウ、エ）を表し、絵図柄アとしてインコ、絵図柄イとしてふくろう、絵図柄ウとして鹿、絵図柄エとしてコアラの4種類とし、それぞれの絵図柄を切断線（キ）で上下に２分割して、絵ア１としてインコの絵図柄上部、絵ア２としてインコの絵図柄下部、絵イ１としてふくろうの絵図柄上部、絵イ２としてふくろうの絵図柄下部、絵ウ１として鹿の絵図柄上部、絵ウ２として鹿の絵図柄下部、絵エ１としてコアラの絵図柄上部、絵エ２としてコアラの絵図柄下部としてある。
【００１６】
インコの絵図柄上部である絵ア１とインコの絵図柄下部である絵ア２を合わせると、絵図柄アとしてインコが認識できて、ふくろうの絵図柄上部であるの絵イ１とふくろうの絵図柄下部である絵イ２を合わせると、絵図柄イとしてふくろうが認識できて、鹿の絵図柄上部である絵ウ１と鹿の絵図柄下部であるウ２を合わせると、絵図柄ウとして鹿が認識できて、コアラの絵図柄上部である絵エ１とコアラの絵図柄下部である絵エ２を合わせると、絵図柄エとしてコアラが認識できる。
【００１７】
他の組み合わせ、例えばインコの絵図柄上部である絵ア１とふくろうの絵図柄下部である絵イ２を合わせれば、絵図柄アとしてインコや、絵図柄イとしてふくろうなどの、一つの絵図柄として認識できないものになっている。
【００１８】
絵図柄はインコ、ふくろう、鹿、コアラの絵に限定するものではなく、他の動植物や有形物、風景、自然などの、絵、イラスト、写真などを使うことができるが、絵図柄を上下に２分割したときに、上下の絵の形が異なるものであることが望ましい。
【００１９】
図３は、図１の同じ大きさで第１〜第９からなる合計９枚の正方形カード（１〜９）に、カード１をＪ、カード２をＬ、カード３をＭ、カード４をＰ、カード５をＱ、カード６をＲ、カード７をＴ、カード８をＵ、カード９をＶ、と表示を換えてカードが配置したものである。
【００２０】
図４は、同じ大きさで第１〜第９からなる合計９枚の正方形カード（Ｊ〜Ｖ）における４辺（Ａ、Ｂ、Ｃ、Ｄ）に、４種類の絵図柄（ア、イ、ウ、エ）を各々切断線（キ）で上下に２分割した８種類の絵（ア１、ア２、イ１、イ２、ウ１、ウ２、エ１、エ２）を、割り当て条件として、各カード（Ｊ〜Ｖ）の内の、２枚（Ｒ、Ｕ）を同じ割り当て条件で表示し、残り７枚（Ｊ、Ｌ、Ｍ、Ｐ、Ｑ、Ｔ、Ｖ）を異なった割り当て条件で表示している、１組の絵合わせカードパズルで２つの正解図ができるようにしたものである。
【００２１】
また図４は、同じ大きさで第１〜第９からなる合計９枚の正方形カード（Ｊ〜Ｖ）における４辺（Ａ、Ｂ、Ｃ、Ｄ）に、４種類の絵図柄（ア、イ、ウ、エ）を各々切断線（キ）で上下に２分割した８種類の絵（ア１、ア２、イ１、イ２、ウ１、ウ２、エ１、エ２）を、９枚のカードを図３に示すようにＪ、Ｌ、Ｍ、Ｐ、Ｑ、Ｒ、Ｔ、Ｕ、Ｖとすると、カードＪには下辺Ａにインコの図柄上部である絵ア１、左辺Ｂにふくろうの図柄上部である絵イ１、上辺Ｃにコアラの図柄下部である絵エ２、右辺Ｄに鹿の図柄下部である絵ウ２、が表示してある。
【００２２】
カードＬには下辺Ａにコアラの図柄上部である絵エ１、左辺Ｂに鹿の図柄上部である絵ウ１、上辺Ｃにふくろうの図柄下部である絵イ２、右辺Ｄにインコの図柄下部である絵ア２、が表示してある。
【００２３】
カードＭには下辺Ａにふくろうの図柄上部である絵イ１、左辺Ｂにインコの図柄上部である絵ア１、上辺Ｃにコアラの図柄下部である絵エ２、右辺Ｄに鹿の図柄である絵下部ウ２、が表示してある。
【００２４】
カードＰには、下辺Ａにふくろうの図柄上部である絵イ１、左辺Ｂにコアラの図柄上部である絵エ１、上辺Ｃにインコの図柄下部である絵ア２、右辺Ｄに鹿の図柄下部である絵ウ２、が表示してある。
【００２５】
カードＱには下辺Ａにふくろうの図柄上部である絵イ１、左辺Ｂに鹿の図柄上部である絵ウ１、上辺Ｃにコアラの図柄下部である絵エ２、右辺Ｄにインコの図柄下部である絵ア２、が表示してある。
【００２６】
カードＲには下辺Ａにコアラの図柄上部である絵エ１、左辺Ｂにインコの図柄上部である絵ア１、上辺Ｃにふくろうの図柄下部である絵イ２、右辺Ｄに鹿の図柄下部である絵ウ２、が表示してある。
【００２７】
カードＴには下辺Ａに鹿の図柄上部である絵ウ１、左辺Ｂにコアラの図柄上部である絵エ１、上辺Ｃにふくろうの図柄下部である絵イ２、右辺Ｄにインコの図柄下部である絵ア２、が表示してある。
【００２８】
カードＵには下辺Ａにコアラの図柄上部である絵エ１、左辺Ｂにインコの図柄上部である絵ア１、上辺Ｃにふくろうの図柄下部である絵イ２、右辺Ｄに鹿の図柄下部である絵ウ２、が表示してある。
【００２９】
カードＶには下辺Ａにインコの図柄上部である絵ア１、左辺Ｂに鹿の図柄上部である絵ウ１、上辺Ｃにコアラの図柄下部である絵エ２、右辺Ｄにふくろうの図柄下部である絵イ２、が配置されてある。
【００３０】
図５に示すように、カードＲには下辺Ａにコアラの図柄上部である絵エ１、左辺Ｂにインコの図柄上部である絵ア１、上辺Ｃにふくろうの図柄下部である絵イ２、右辺Ｄに鹿の図柄下部である絵ウ２、が表示してあり、カードＵには、下辺Ａにコアラの図柄上部である絵エ１、左辺Ｂにインコの図柄上部である絵ア１、上辺Ｃにふくろうの図柄下部である絵イ２、右辺Ｄに鹿の図柄下部である絵ウ２、が表示されているので、カードＲとカードＵの二つのカードが、同じ割り当て条件で表示してあるカードである。
【００３１】
図５に示すように、同じ大きさで第１〜第９からなる合計９枚の正方形カード（Ｊ〜Ｖ）に、４種類の絵図柄（ア、イ、ウ、エ）を各々各々切断線（キ）で上下に２分割した８種類の絵（ア１、ア２、イ１、イ２、ウ１、ウ２、エ１、エ２）を、図４のごとく割り当てて表示すれば、縦列左側に、カードＪの下辺ＡとカードＰの上辺Ｃが合った、上を向いた絵柄図アのインコが認識でき、カードＰの下辺ＡとカードＴの上辺Ｃが合った上を向いた絵柄図イのふくろうが認識できる。
【００３２】
また縦列中央に、カードＬの下辺ＡとカードＱの上辺Ｃが合った上を向いた絵柄図エのコアラが認識でき、カードＱの下辺ＡとカードＵの上辺Ｃが合った上を向いた絵柄図イのふくろうが認識できる。
【００３３】
また縦列右側に、カードＭの下辺ＡとカードＲの上辺Ｃが合った上を向いた絵柄図イのふくろうが認識でき、カードＲの下辺ＡとカードＶの上辺Ｃが合った上を向いた絵柄図Ｅのコアラが認識できる。
【００３４】
また横列上段に、カードＪの右辺ＤとカードＬの左辺Ｂが合った、右を向いた絵柄図ウの鹿が認識でき、カードＬの右辺ＤとカードＭの左辺Ｂが合った、右を向いた絵柄図アのインコが認識できる。
【００３５】
また横列中段に、カードＰの右辺ＤとカードＱの左辺Ｂが合った、右を向いた絵柄図ウの鹿が認識でき、カードＱの右辺ＤとカードＲの左辺Ｂが合った、右を向いた絵柄図アのインコが認識できる。
【００３６】
また横列下段に、カードＴの右辺ＤとカードＵの左辺Ｂが合った、右を向いた絵柄図アのインコが認識でき、カードＵの右辺ＤとカードＶの左辺Ｂが合った、右を向いた絵柄図ウの鹿が認識できる。
【００３７】
図５は、カードＲとカードＵが同じ割り当て条件で絵を表示し、残り７枚（Ｊ、Ｌ、Ｍ、Ｐ、Ｑ、Ｔ、Ｖ）を異なった割り当て条件で絵を表示している、１組の絵合わせカードパズルの第１の正解図である。
【００３８】
図３に示した同じ９枚のカードを使い、図６に示すように、図３に示すカードＪを１８０度回転して図３のカードＵの位置に配置し、図３に示すカードＬを９０度右に回転して図３のカードＰ位置に配置し、図３に示すカードＭを９０度右に回転して図３のカードＬの位置に配置する。
【００３９】
また図３に示すカードＰを回転させずに図３のカードＭの位置に配置し、図３に示すカードＱを９０度右に回転して図３のカードＱの位置に配置し、図３に示すカードＲを９０度右に回転して図３のカードＪの位置に配置する。
【００４０】
また図３に示すカードＴを回転させずに図３のカードＲの位置に配置し、図３に示すカードＵを９０度左に回転して図３のカードＶの位置に配置し、図３に示すカードＶを１８０度回転して図３のカードＴの位置に配置すれば、図６に示すようなカード配置となり、図７に示すような絵の表示となり、カードを９枚合わせると、第２の正解図である図８が出来上がる。
【００４１】
図８は、縦列左側に、カードＲの右辺ＤとカードＬの左辺Ｂが合った、下を向いた絵柄図ウの鹿が認識でき、カードＬの右辺ＤとカードＶの下辺Ａが合った下を向いた絵柄図アのインコが認識できる。
【００４２】
また縦列中央に、カードＭの右辺ＤとカードＱの左辺Ｂが合った下を向いた絵柄図ウの鹿が認識でき、カードＱの右辺ＤとカードＪの下辺Ａが合った下を向いた絵柄図アのインコが認識できる。
【００４３】
また縦列右側に、カードＰの下辺ＡとカードＴの上辺Ｃが合った上を向いた絵柄図イのふくろうが認識でき、カードＴの下辺ＡとカードＵの右辺Ｄが合った上を向いた絵柄図ウの鹿が認識できる。
【００４４】
また横列上段に、カードＲの上辺ＣとカードＭの下辺Ａが合った、右を向いた絵柄図イのふくろうが認識でき、カードＭの上辺ＣとカードＰの左辺Ｂが合った、右を向いた絵柄図エのコアラが認識できる。
【００４５】
また横列中段に、カードＬの上辺ＣとカードＱの下辺Ａが合った、右を向いた絵柄図イのふくろうが認識でき、カードＱの上辺ＣとカードＴの左辺Ｂが合った、右を向いた絵柄図エのコアラが認識できる。
【００４６】
また横列下段に、カードＶの左辺ＢとカードＪの右辺Ｄが合った、左を向いた絵柄図ウの鹿が認識でき、カードＪの左辺ＢとカードＵの上辺Ｃが合った、左を向いた絵柄図イのふくろうが認識できる。
【００４７】
図８は、カードＲとカードＵが同じ割り当て条件で絵を表示し、残り７枚（Ｊ、Ｌ、Ｍ、Ｐ、Ｑ、Ｔ、Ｖ）を異なった割り当て条件で絵を表示している、１組の絵合わせカードパズルの第２の正解図である。
【産業上の利用可能性】
【００４８】
パソコンでゲームソフトを作り、ゲームを楽しんだり、顧客に配信することができる。
【符号の説明】
【００４９】
Ｊ      カード
Ｌ      カード
Ｍ      カード
Ｐ      カード
Ｑ      カード
Ｒ      カード
Ｔ      カード
Ｕ      カード
Ｖ      カード
Ａ      下辺
Ｂ      左辺
Ｃ      上辺
Ｄ      右辺
ア      絵図柄
イ      絵図柄
ウ      絵図柄
エ      絵図柄
キ      切断線
ア１    絵
ア２    絵
イ１    絵
イ２    絵
ウ１    絵
ウ２    絵
エ１    絵
エ２    絵
【図１】
0003187137.tif 000003
【図２】
0003187137.tif 000004
【図３】
0003187137.tif 000005
【図４】
0003187137.tif 000006
【図５】
0003187137.tif 000007
【図６】
0003187137.tif 000008
【図７】
0003187137.tif 000009
【図８】
0003187137.tif 000010
【手続補正書】
【提出日】平成25年9月5日(2013.9.5)
【手続補正１】
【補正対象書類名】実用新案登録請求の範囲
【補正対象項目名】請求項３
【補正方法】変更
【補正の内容】
【請求項３】
第１の正方形カードの下辺と、第２の正方形カードの左辺と、第３の正方形カードの左辺と、第４の正方形カードの左辺と、第５の正方形カードの下辺とに、それぞれ前記８種類の絵のうちの１つである第１の絵を表示し、第６の正方形カードの右辺と、第７の正方形カードの上辺と、第８の正方形カードの右辺と、第９の正方形カードの右辺とに、それぞれ前記８種類の絵のうちの１つであり、前記４種類の絵図柄から前記第１の絵と切断線で分割されて形成された第２の絵を表示し、第１の正方形カードの左辺と、第２の正方形カードの下辺と、第７の正方形カードの下辺と、第８の正方形カードの下辺とに、それぞれ前記８種類の絵のうちの１つである第３の絵を表示し、第３の正方形カードの上辺と、第４の正方形カードの上辺と、第５の正方形カードの右辺と、第６の正方形カードの上辺と、第９の正方形カードの上辺とにそれぞれ前記８種類の絵のうちの１つであり、前記４種類の絵図柄から前記第３の絵と切断線で分割されて形成された第４の絵を表示し、第５の正方形カードの左辺と、第６の正方形カードの左辺と、第８の正方形カードの左辺と、第９の正方形カードの下辺とに、それぞれ前記８種類の絵のうちの１つである第５の絵を表示し、第１の正方形カードの右辺と、第２の正方形カードの右辺と、第３の正方形カードの右辺と、第４の正方形カードの右辺と、第７の正方形カードの右辺とに、それぞれ前記８種類の絵のうちの１つであり、前記４種類の絵図柄から前記第５の絵と切断線で分割されて形成された第６の絵を表示し、第３の正方形カードの下辺と、第４の正方形カードの下辺と、第６の正方形カードの下辺と、第７の正方形カードの左辺と、第９の正方形カードの左辺とにそれぞれ前記８種類の絵のうちの１つである第７の絵を表示し、第１の正方形カードの上辺と、第２の正方形カードの上辺と、第５の正方形カードの上辺と、第８の正方形カードの上辺とに、それぞれ前記８種類の絵のうちの１つであり、前記４種類の絵図柄から前記第７の絵と切断線で分割されて形成された第８の絵を表示してある、合計９枚のカードを使った１組の絵合わせカードパズルを使って、２つの正解図ができるようにしたことを特徴とする請求項１または請求項２のいずれかに記載の絵合わせカードパズル。